(57)【要約】    【課題】従来、空気軸受面（ＡＢＳ）での磁極片の形状は、ウェハ表面に直角な横断面で規定されている。しかしながら、必要なのは、ラップ仕上げ無しで作製できる磁気記録ヘッド、およびＡＢＳでの磁極片の形状をリソグラフィで規定した磁気記録ヘッドである。    【解決手段】ウェハ表面に対して平行に配置された薄膜からコイル４６および磁極片４２，４３，４４，４５が形成される。形状、ギャップ、磁極片の寸法を規定する上で、標準的リソグラフィ技術を使用することができる。非直線的形状、例えば、書込み磁極片領域の周りに適合するサイドシールドが形成され得る。主磁極片４３およびリターン磁極片４４の厚さは、ラップ仕上げではなく堆積工程により制御される。個々のスライダを残りのウェハから分割するのに使用される鋸カットはＡＢＳに対して垂直である。【選択図】図１
2005317188.tif 000002
【特許請求の範囲】
【請求項１】
磁気記録媒体と共に使用するための薄膜磁気記録ヘッドであって、
空気軸受面に配置され、基板表面および前記空気軸受面に対して平行に配置された薄膜から第一薄膜平面に形成された主磁極片と、前記第一薄膜平面に配置され、基板表面および前記空気軸受表面に対して平行に配置された薄膜から第一薄膜平面に形成されたリターン磁極片とを含む書込みヘッドを有することを特徴とする薄膜磁気記録ヘッド。
【請求項２】
前記書込みヘッドが、
第一垂直磁極片と、
第二垂直磁極片と、
前記第一あるいは第二垂直磁極片の周りを包む導電性材料からなるコイルと、
をさらに含み、
前記主磁極片が前記空気軸受面で前記第一垂直磁極片上に配置されており、前記リターン磁極片が前記空気軸受面で前記第二垂直磁極片上に配置されていることを特徴とする請求項１記載の薄膜磁気記録ヘッド。
【請求項３】
前記主磁極片および前記リターン磁極片の材料が同時に１つの薄膜内で堆積されていることを特徴とする請求項１記載の薄膜磁気記録ヘッド。
【請求項４】
前記主磁極片の内面が前記第一垂直磁極片の内面と同一平面上にあり、複数の前記内面がそれぞれ前記リターン磁極片と前記第二垂直磁極片とに向くことを特徴とする請求項１記載の薄膜磁気記録ヘッド。
【請求項５】
前記空気軸受面に向く前記リターン磁極片の表面の面積が、前記空気軸受面に向く前記主磁極片の表面の面積よりも大きいことを特徴とする請求項１記載の薄膜磁気記録ヘッド。
【請求項６】
前記リターン磁極片が、前記第二垂直磁極片の前記主磁極片へ向かう縁部上を延びることを特徴とする請求項２記載の薄膜磁気記録ヘッド。
【請求項７】
前記リターン磁極片が、前記空気軸受面に対して平行な平面内に堆積されて前記空気軸受面に対して垂直に測ったある厚さを有する薄膜構造であることを特徴とする請求項１記載の薄膜磁気記録ヘッド。
【請求項８】
前記空気軸受面が、前記主磁極片を通る切り口がゼロである前記空気軸受面に対して垂直に延びる４つの切り口を有することを特徴とする請求項１記載の薄膜磁気記録ヘッド。
【請求項９】
磁気記録媒体と共に使用するための薄膜磁気記録ヘッドであって、
空気軸受面に対して平行に配置された薄膜を支持する基板と、
第一および第二垂直磁極片を含むヨークと、
前記第一あるいは第二垂直磁極片の周りを包む導電性材料からなるコイルと、
前記空気軸受面で前記第一垂直磁極片上に配置された強磁性体からなる主要スタンドオフと、
前記主要スタンドオフ上に配置された主磁極片と、
前記空気軸受面で前記第二垂直磁極片上に配置された強磁性体からなるリターンスタンドオフと、
前記空気軸受面で前記リターンスタンドオフ上に配置されたリターン磁極片と、
を有することを特徴とする薄膜磁気記録ヘッド。
【請求項１０】
前記主磁極片が前記主要スタンドオフの内面と同一平面上にある内面を有し、複数の前記内面がそれぞれ前記リターン磁極片および前記リターンスタンドオフの方を向いて前記第二垂直磁極片の方を向く前記第一垂直磁極片の内面から逆行し、前記リターン磁極片が、前記第二垂直磁極片の内端を越えて前記主磁極片の方へ延びて前記主磁極片と前記リターン磁極片との間のギャップを縮小することを特徴とする請求項９記載の薄膜磁気記録ヘッド。
【請求項１１】
前記リターン磁極片が、トレーリングシールドと、前記空気軸受面から見て前記主磁極片の第一および第二側に配置された第一および第二サイドシールドとを有することを特徴とする請求項１０記載の薄膜磁気記録ヘッド。
【請求項１２】
前記主磁極片および前記主要スタンドオフの内面が前記第一垂直磁極片の内面と同一平面上にあり、複数の前記内面がそれぞれ前記リターン磁極片、前記リターンスタンドオフ、および前記第二垂直磁極片に向くことを特徴とする請求項９記載の薄膜磁気記録ヘッド。
【請求項１３】
前記リターン磁極片が、前記空気軸受面から見て前記主磁極片の第一および第二側に配置された第一および第二サイドシールドを有することを特徴とする請求項１２記載の薄膜磁気記録ヘッド。
【請求項１４】
前記第一および第二サイドシールドが、前記主磁極片の周りに適合する非直線的形状であることを特徴とする請求項１３記載の薄膜磁気記録ヘッド。
【請求項１５】
前記空気軸受面に対して垂直な前記主磁極片の表面が、前記空気軸受面に対して垂直な前記第一垂直磁極片の表面から凹設されていることを特徴とする請求項９記載の薄膜磁気記録ヘッド。
【発明の詳細な説明】
【技術分野】
【０００１】
本発明は垂直に記録するための磁性薄膜ヘッドに係り、より詳細には、このようなヘッドで使用される磁極片およびシールド、ならびにこのようなヘッドを使用する記憶装置に関する。
【背景技術】
【０００２】
先行技術における代表的な磁気ディスク記録システムでは、磁気転移読み書き用磁気トランスデューサを含むスライダが、スピンドルモータによって回転するディスク上を浮上する時にサスペンションにより支持されている。ディスクは複数の薄膜と少なくとも１つの強磁性薄膜とを含み、この強磁性薄膜に記録（書込み）ヘッドが磁気転移を記録し、ここで情報がコード化される。媒体内の磁区へは長手方向あるいは垂直に書き込むことができる。スライダの読取りおよび書込みヘッド部分は薄膜処理技術によって層状に積み重ねられている。一般的には最初に読取りヘッドが形成されるが、書込みヘッドを先に作製することもできる。従来の書込みヘッドは誘導性で、読取りセンサは磁気抵抗性である。
【０００３】
垂直記録によるディスクドライブでは、磁束がディスクの平面に対して垂直な方向に記録層を通って指向するように記録ヘッドが設計されている。一般的には、垂直記録用ディスクは硬磁性記録層と軟磁性下地層とを有する。単磁極型ヘッドを用いた記録動作中、磁束は記録ヘッドの主磁極から垂直に硬磁性記録層を通り、次に軟磁性下地層の面内へ入り、さらに記録ヘッドのリターン磁極へと戻るように指向される。主磁極片および関連のシールドの形状および寸法は、トラック幅を確定する際の主要因となる。
【０００４】
ナカムラらによる特許文献１では、トラック下流側に主磁極を有する単磁極ヘッドが記載されている。主磁極は少なくとも２つの部分からなり、そこでは第一部分の幅がトラック上流側からトラック下流側へと媒体移動方向で連続的に増加し、第二部分の幅が媒体移動方向で第一部分のトラック下流側エッジの幅と同様であり、トラック上流側からトラック下流側まで媒体移動方向に一定である。このことは、記録磁界の強度がトラックエッジで減少するのを防止すると言われ、実効トラック幅を増加する一方で記録にじみを抑圧し、これにより高トラック密度を備えた磁気記録ディスク装置が実現される。
【０００５】
特許文献２（マラリーら）に記載されている垂直記録用単磁極ヘッドは、後部で書込み磁極に結合されてＡＢＳで小さなギャップ分だけこの書込み磁極と離間するいわゆる「下流シールド」（トラック下流側）を含んでいる。シールドのＡＢＳ面は書込み磁極部分の面の何倍もの大きさになるよう設計されているので、磁束リターン部分が磁気シールドとして作用する。書込み磁極チップからの磁束密度は垂直記録を達成するのに十分である一方、下流側磁気シールドへ流れ込む磁束密度が低いため、予め記録されたパターンは反転したり弱化したりはしない。
【０００６】
【特許文献１】米国出願公開第２００３／０１５１８５０号明細書
【特許文献２】米国再発行特許発明第３３９４９号明細書
【発明の開示】
【発明が解決しようとする課題】
【０００７】
薄膜磁気トランスデューサを作製する代表的な方法において、ウェハ上には数多くのトランスデューサが同時に形成される。基本構造が形成された後、ウェハは切って列状に、あるいは個々のトランスデューサにされる。切断することがウェハを個々のスライダへと分割する代表的な方法であったが、最近では、プラズマを含むフッ素との反応性イオン・エッチング（ＲＩＥ）あるいは深堀反応性イオン・エッチング（ＤＲＩＥ）が使用されてきている。ウェハをカットする時に露出される、ウェハの表面に垂直なスライダの表面は、最終的にスライダの空気軸受面（ＡＢＳ）を形成する。切断面が不確かなので、許容できない磁性ストライプハイトにはばらつきが残り、これが修正されなければ磁気特性のばらつきが許容できなくなる。ナノメータ範囲でのストライプハイト制御を達成するような、先行技術で使用される方法としてはラップ仕上げがある。トレーリングシールドを備えた垂直記録ヘッドでは、トレーリングシールドの厚さもラップ仕上げ工程の終点で確定される。
【０００８】
ラップ仕上げ後、通常「レール」と呼ばれる形体が磁気トランスデューサのＡＢＳ上に形成される。レールは伝統的にスライダの空気動力学を確定するために利用されてきたものであり、回転中にも静止時にもトランスデューサが媒体と接触する接触領域として役立つ。
【０００９】
先行技術において、ＡＢＳでの磁極片の形状は、ウェハ表面に直角な横断面で規定される。必要なのは、ラップ仕上げ無しで作製できる磁気記録ヘッド、およびＡＢＳでの磁極片の形状をリソグラフィで規定した磁気記録ヘッドである。
【課題を解決するための手段】
【００１０】
ラップ仕上げの不要な垂直記録用磁気ヘッド（スライダ）を以下に記載する。このヘッドはウェハ表面に平行な空気軸受面と共に作製される。空気軸受面に平行に配置された薄膜からコイルおよび磁極片が形成される。標準的リソグラフィ技術を使用して、形状、ギャップ、および磁極片の寸法を規定することができる。非直線的形状、例えば、書込み磁極片領域の周りに一致したサイドシールドが形成され得る。主磁極片およびリターン磁極片の厚さは、ラップ仕上げではなく堆積工程により制御される。残りのウェハから個々のスライダに分割するために使用される鋸カットは空気軸受面に対して垂直であり、空気軸受面の形体には何ら影響しない。
【発明の効果】
【００１１】
本発明によれば、ラップ仕上げの不要な垂直記録用磁気ヘッドを提供することができる。
【発明を実施するための最良の形態】
【００１２】
本明細書に記載するヘッドの様々な実施態様では、ラップ仕上げが不要である。このヘッド設計を実施するために、本発明によるヘッドのウェハ表面および薄膜層がＡＢＳに対して平行になる一作製工程に、書込みヘッドと読取りヘッドとを組み入れなければならない。先行技術のヘッドを作製する方法では、薄膜はウェハ表面上に堆積されるので当然ウェハ表面に平行であるが、ウェハは薄膜と共に薄膜層の端面を露出するようカットされる。ラップ仕上げを含む先行技術のＡＢＳ加工は露出された端面上で実施され、最終的なＡＢＳは薄膜の平面に対して垂直方向を向く。対照的に、本発明によればＡＢＳはウェハ上にでき、ヘッドをウェハ上の他の複数のヘッドから分割するためになされるカットは、図７に示すように、非機能的材料内においてＡＢＳに対して垂直な４辺で行われる。複数のヘッド（あるいはスライダ）２０がウェハ表面に堆積された後のウェハ１７が示される。Ｍの印をつけた線は、ヘッド２０をウェハ１７から分割するためになされるウェハ１７内の切断部を表す。線Ｋ、Ｊ、Ｐ、Ｑ、Ｒ、Ｓは将来の切断線の印である。
【００１３】
各ヘッド２０は、ＡＢＳ（これはウェハ１７の上面でもある）に平行に作製された読取りヘッド３０および書込みヘッド４０を有する。当業者には明らかなことであるが、読取りおよび書込みヘッド３０、４０の実寸法はヘッド２０に対して示すものよりもずっと小さいので、図７の要素を縮尺に従って描くことはできない。ヘッド２０上の読取りおよび書込みヘッド３０、４０の位置も代表的なものではない。読取りおよび書込みヘッド３０、４０は、磁気記憶装置に導入する際に、ヘッド２０の後端にある端面の至近に配置するのが好ましい。
【００１４】
本発明による工程ではラップ仕上げが不要であるので、書込みヘッドに対する読取りヘッドの「ｚ」方向への決定的な位置合わせは必要でない。決定的な構造は材料の機械的除去ではなく堆積厚さにより形成されるので、「ｚ」方向へ位置合わせする必要性が低減される。一方、あらゆるヘッドに関して、書込みギャップの中心線配置に対する読取りセンサの中心線配置は位置合わせに依存するが、このことがリソグラフィで達成される。先行技術機構では、書込みヘッドの決定的寸法と同様に、ラップ仕上げの最後が読取りセンサの最終ストライプハイトを確定するため、読取りヘッドの書込みヘッドに対する「ｚ」方向への位置合わせが要求された。ところが垂直記録用ヘッドでは、読取りセンサおよび書込みヘッドの正確な寸法を同時に形成する際の先行技術のＡＢＳ加工はなおさら非効率である。
【００１５】
例えばある垂直ヘッド設計では、トレーリングシールド型リターン磁極片の頂部には読取りセンサの頂部を基準としなければならず、同時にラップ仕上げによりトレーリングシールドの厚さが低減するので、ストライプハイトで両寸法を正確に制御するのが困難になる。本発明による工程において、トレーリングシールドおよび読取りセンサの頂部を含むＡＢＳの平坦化は、簡素な平坦化ステップ、例えば化学的機械的平坦化（ＣＭＰ）で達成することができ、トレーリングシールドおよびセンサの厚さはラップ仕上げではなく薄膜の堆積により確定される。さらに、本発明は、イオン・エッチングおよびリソグラフィにより形成される磁極チップ形状の、簡素な単磁極ヘッドの製造を可能とする。
【００１６】
ＡＢＳに対して平行に形成されたリターン磁極片あるいはリターンシールドを有する垂直記録ヘッドを構築する利点（すなわち、ＡＢＳがウェハ加工表面に対して平行であるヘッド設計を組み込む利点）には、以下のものが含まれる。
【００１７】
１．シールドおよびセンサの厚さ制御が、ラップ仕上げではなく堆積により確定される。
【００１８】
２．書込みギャップがリソグラフィ・ステップにより制御される。
【００１９】
３．決定的なＡＢＳ形体の形状が、丈の高いレジスト構造ではなく薄膜レジスト構造を使用したリソグラフィにより制御される。
【００２０】
４．決定的構成要素の位置合わせがリソグラフィにより制御される。
【００２１】
５．主（書込み）磁極の周りに適合する非直線的シールド形状を、リソグラフィ的に形成することができる。
【００２２】
本発明によるヘッド２０の概要に関しては、選択された構成要素の、保護膜および基板を取り除いた等角図である図１を参照する。この実施態様はトレーリングシールド設計である。寸法が広い範囲にわたり不明確になるので、図面は縮尺に従って描くことはできない。以下で述べる以外では、関連する寸法は先行技術によるものであり、これは当業者には明らかとなろう。図１で表すＸ寸法およびＹ寸法はウェハ表面に平行であり、Ｚ寸法はウェハ表面に直角である。意図する媒体の移動方向は図の左から右へとＹ軸に沿っている。読取りヘッド３０および書込みヘッド４０はこの実施態様では、媒体の移動方向に対して横に並べて配置してある。
【００２３】
本発明はヘッド２０の底部に配置されるリード・パッド６１、６２、６３、６４を使用しており、製造中にヘッドもウェハの底部となる。読取りヘッド３０および書込みヘッド４０を、横に並べると同様に、前後に続けて、すなわちトラックの下流側に配置することができるということに留意されたい。したがって、リード・パッド６１、６２、６３、６４はウェハ底部の共通の平面内にあり、このことを図８でも示す。読取りヘッド３０および書込みヘッド４０はウェハ上面に形成される。電気コネクタ７１、７２、７３、７４はウェハを通って頂部から底部へと、すなわちＺ寸法で延び、読取りヘッド３０および書込みヘッド４０をリード・パッド６１、６２、６３、６４に接続する。
【００２４】
比較的深い（例えば２００μｍの）電気コネクタ７１、７２、７３、７４用ビアホールを製造する１つの方法では、シリコン体に深彫ＲＩＥ加工を使用する。これらのビアホールはＣｕを充填して接続させることができる。書込みヘッド４０のコイル４６は電気コネクタ７３、７４に接続され、次にこれらの電気コネクタがリード・パッド６４、６３に接続する。コイル４６は導電性材料からなり、渦巻形あるいは螺旋状とすることができる。製造工程におけるこの時点において巻きがウェハ表面で同一平面上にあるため、単一リソグラフィ・ステップにおいて一面コイルを規定することができる。図面では巻きを３つのみ示すが、公知の原則により、コイルはそれ以外の数の巻き数を有することができる。書込みヘッド４０の電磁石のヨークは強磁性体からなり、コイル４６より先に形成されるヨーク４１の奥部を含む。この実施態様においてヨーク４１の奥部は、ウェハ表面に対して平行に延びる２つの最長寸法に対して垂直である。ヨーク奥部の寸法は、明確に述べる以外では、先行技術の原則によりヘッドの他の構造の寸法と共に確定することができる。具体的な実施態様における構造に対する寸法が本発明での限定と解釈されるべきではない。
【００２５】
例としてはヨーク（４１）の奥部を約１μｍ〜２μｍ厚（Ｚ）、２μｍ〜２０μｍ幅（Ｘ）、および１０μｍ〜３０μｍ長（Ｙ）とすることができる。ヨーク（４１）の奥部を、電気めっきにより、あるいは真空蒸着により形成することができる。強磁性体や絶縁材料の代替層でこれを積層することができる。ヨーク奥部の両端部では、垂直磁極片４２、４５がヨーク奥部からコイル４６の両側部に沿ってＡＢＳの方へ延びる。コイル４６内部を通って延びる内側垂直磁極片４５は外側垂直磁極片４２よりも厚く（Ｙ）作られるのが好ましい。というのも、これはリターン磁路にある内側垂直磁極片４５だからである。以下でより明確にわかるように、本発明の様々な実施態様では異なる磁極片チップを有することができるが、図１に示す実施態様では、外側垂直磁極片４２は、上に、すなわちＡＢＳのより近くに配置される主磁極片４３を有する。
【００２６】
主磁極片４３は、ヨーク片４１、４２、４５用に使用される材料とは異なることのできる高モーメントの強磁性体からなるのが好ましい。主磁極片４３は、書込み磁束を集中するため、ＸおよびＹ寸法で外側垂直磁極片４２よりも小さいのが好ましい。リターン磁極片４４は内側垂直磁極片４５の上に配置される。リターン磁極片４４の厚さを、図２（ａ）で薄膜の厚さとして点線および矢印により表す。リターン磁極片４４および主磁極片４３が実質的に同一の厚さに堆積され、実際、同時に堆積されるのが好ましいということに留意すべきである。薄膜の平面に印を付しているが、これはＡＢＳに対して平行である。
【００２７】
図１の実施態様では、リターン磁極片４４は内側垂直磁極片４５よりも狭い（Ｘ寸法）が、この内側垂直磁極片４５よりも著しく長い（Ｙ寸法）。リターン磁極片４４は内側垂直磁極片４５からＹ寸法で主磁極片４３へ向かって延び、書込みギャップの幅を低減する。書込みギャップでは、主磁極片４３とリターン磁極片４４とが直面している表面は同様の幅である（Ｘ寸法）。ＡＢＳに対して平行な平面（Ｘ‐Ｙ）におけるリターン磁極片４４の面積は、リターン磁界の強度を低減するため、主磁極片４３の面積よりも著しく大きく作製されている。この実施態様において、主磁極片４３の内面、すなわち書込みギャップに向く面は外側垂直磁極片４２の内面と同一平面上にある。他の実施態様では、リターン磁極片および主磁極片を、以下に見られるような方法で形成し、配置することができる。
【００２８】
読取りヘッド３０は実質的に書込みヘッド４０から独立している。読取りおよび書込みヘッドは、相互およびトラック方向に関して平行に、あるいは縦に並べて配置することができ、これらの間には電気的接続はない。読取りヘッド用リード・パッド６１、６２は、書込みヘッド用リード・パッド６３、６４と同平面に配置するのが都合がよい。同様に、センサ３１は、主磁極片４３とほぼ同一の平面に配置するのが都合がよい。本発明による書込みヘッド４０は、ウェハ表面に対して平行な塗膜層と共に平面的なセンサ構造を有する多種多様な読取りヘッド設計とともに使用することができる。
【００２９】
従来のＡＢＳの形体（図示せず）を、ウェハレベルでＲＩＥにより保護膜、例えばＳｉＯ２へ形成することができ、この保護膜は、読取りおよび書込みヘッドの形体を形成した後に堆積することができる。
【００３０】
図２（ａ）は、ＡＢＳに対して垂直に切り取った図１の書込みヘッド４０の一部を示す。書込みヘッドの構造を取り囲む本体材料３９を示す。通常は磁性部品を空気および媒体表面から分離する保護膜がある（図示せず）。この図では、実際に、主磁極片４３の内面および外側垂直磁極片４２が同一平面上にあることがわかる。内側垂直磁極片４５が磁束帰路の一部であるため、内側垂直磁極片４５は外側垂直磁極片４２よりも厚いのが好ましいことにも留意すべきである。
【００３１】
決定的な磁極形体およびリターン磁極形体が、ＡＢＳ面となるウェハ表面に規定される垂直書込みヘッドを記載した。このことにより、リターンシールドの厚さ制御はラップ仕上げではなく堆積によって制御することが可能となる。これにより、ＡＢＳ上のリターンシールドおよび主磁極の形状制御を薄い材料のリソグラフィおよび簡易なイオン・エッチングにより行うのが可能になる。図２（ｂ）は図１の書込みヘッド４０のＡＢＳからの図を示す。内側垂直磁極片４５および外側垂直磁極片４２はＡＢＳから奥まった所にあるため、これらを点線で示す。
【００３２】
図６は、読取りおよび書込みヘッドが縦に並べて配置されるという点を除いて図１のものに類似した本発明の一実施態様のＡＢＳの図を示す。読取りおよび書込みヘッドを、横に、あるいは縦に並べた配列が、本発明の設計で可能となる。
【００３３】
図３（ａ）および図３（ｂ）は、本発明による書込みヘッド４０Ａの、代替の単一プローブ磁極チップの実施態様を示す。図３（ａ）は、ＡＢＳに対して垂直に切り取った書込みヘッド４０Ａの一部を示す。図３（ｂ）は書込みヘッド４０ＡのＡＢＳからの図を示す。書込みヘッド４０Ａのこの代替の実施態様は、書込みヘッド４０Ａのリターン磁極片４４が省略されているという点で書込みヘッド４０と異なる。リターン磁極片の欠落を補償するために、付加的インクリメント４５Ａを内側垂直磁極片４５の上に堆積して実質的に高さを高くする。付加的インクリメント４５Ａは内側垂直磁極片４５と同じ材料から作製することができ、あるいはより高モーメントの材料から作製してもよい。図３（ｃ）に示す実施態様で図示するように、磁極チップ４３は磁極片４２内端と同一平面上にある必要はない。
【００３４】
図４（ａ）および図４（ｂ）は本発明による書込みヘッド４０Ｓの、代替のサイドシールドの実施態様を示す。図４（ａ）はＡＢＳに対して垂直に切り取った書込みヘッド４０Ｓの一部を示す。図４（ｂ）は書込みヘッド４０ＳのＡＢＳからの図を示す。主磁極片４３の両側面に沿って延びるサイドシールドは、サイドシールドのリターン磁極片４４Ｓが一体化した形体であり、これらの寸法が小さいため、図４（ｂ）では個別には印していない。他のサイドシールド設計におけるように、これらの目的は記録にじみを低減するためである。書込みヘッド４０Ｓの製造しやすさを向上するため、外側垂直磁極片４２の頂部に主要スタンドオフ４８が形成される。主要スタンドオフ４８は、外側垂直磁極片４２よりも実質的に小さい主磁極片４３と同じ形状である。主要スタンドオフ４８を含むことにより、外側垂直磁極片４２とサイドシールドのリターン磁極片４４Ｓのサイドシールド部との間に隙間領域ができる。事実上、内側垂直磁極片４５の高さを増加するために、内側垂直磁極片４５の上に適合するリターンスタンドオフ４７が形成され、その結果、サイドシールドのリターン磁極片４４Ｓが内側垂直磁極片４５に結合される。磁極チップ４３もスタンドオフ層４８も、磁極片４２の内端と同一平面上にある必要はなく、このことが図４（ｃ）に示す実施態様で図示されている。さらに磁極チップ４３およびスタンドオフ層４８の内端および外端が同一平面上にある必要はない。具体的には、磁極片４３の長さ（図１のＹ方向）を、スタンドオフ層４８の長さよりも小さくすることができる。このことを図４（ｃ）に示す。
【００３５】
図５は、サイドシールディングとトレーリングシールディングとを含み、台形の磁極チップ形状４３Ｔを内蔵する書込みヘッド４０Ｂの代替実施態様を示している。書込みヘッド４０ＢのＡＢＳからの図である。この実施態様では、主磁極片４３Ｔは、ＡＢＳから見た形が台形である。台形の形をした基部がリターン磁極片４４Ｓの至近に配置されている。台形の主磁極片４３Ｔは、本発明による書込みヘッドのいずれの実施態様においても使用することができる、好ましい実施態様である。
【００３６】
本発明によるヘッドは標準的薄膜製造技術によって製造することができる。しかし、ある標準技術を新しい方法に使用することができる。例えば、本発明によるヘッドの書込みギャップをリソグラフィや減色法（ミリングあるいはＲＩＥ）により確定することができる。主磁極片およびリターン磁極片は同じ薄膜平面内に形成され、したがってこれらの磁気構造を形成するために使用するリソグラフィにより書込みギャップが確定される。サイドシールドを有する実施態様において、側面ギャップは同様に制御される。実際に、読取りセンサなど、ＡＢＳでのあらゆる形体の決定的な形状、位置、および寸法は、本発明によるヘッドにおいて、あらゆる種類の有効な薄膜製造技術とともにリソグラフィにより同様に確定することができる。
【００３７】
本発明を、具体的な実施態様に関して記載したが、本発明による強磁気構造の他の使用、および適用法が当業者にとって明らかとなろう。
【図面の簡単な説明】
【００３８】
【図１】本発明の一実施態様によるヘッドの、選択された構成要素の等角図である。
【図２（ａ）】本発明の一実施態様によるトレーリングシールドを有する書込みヘッドの、ウェハ表面に対して垂直な中央線部分を示す図である。
【図２（ｂ）】ウェハ表面（これもＡＢＳである）から見た、図２（ａ）に示すヘッドの構成要素の関係を示す図である。
【図３（ａ）】本発明の一実施態様による単一プローブ・チップを有する書込みヘッドの、ウェハ表面に対して垂直な中央線部分を示す図である。
【図３（ｂ）】ウェハ表面（これもＡＢＳである）から見た、図３（ａ）に示すヘッドの構成要素の関係を示す図である。
【図３（ｃ）】結合する磁極片の内側に位置合わせされていない、本発明の一実施態様による単一プローブ・チップを有する書込みヘッドの、ウェハ表面に対して垂直な中央線部分を示す図である。
【図４（ａ）】本発明の一実施態様によるトレーリングシールドおよびサイドシールドを有する書込みヘッドの、ウェハ表面に対して垂直な中央線部分を示す図である。
【図４（ｂ）】ウェハ表面（これもＡＢＳである）から見た、図４（ａ）に示すヘッドの構成要素の関係を示す図である。
【図４（ｃ）】磁極チップもスタンドオフ層も、磁極片の内端と同一平面上にない、本発明の一実施態様による書込みヘッドの、ウェハ表面に対して垂直な中央線部分を示す図である。
【図５】台形状の磁極チップを有する本発明の一実施態様によるトレーリングシールドおよびサイドシールドのＡＢＳからの拡大図である。
【図６】本発明の一実施態様によるＡＢＳから見た書込みおよび読取りヘッドの縦に並べた配列を示す図である。
【図７】本発明により作製された複数のヘッドを有するウェハのカットラインの等角図である。
【図８】本発明によるヘッドの一実施態様である、ＡＢＳに対向する底面の図である。
【符号の説明】
【００３９】
１７…ウェハ、
２０，２０Ｔ…ヘッド、
３０…読取りヘッド、
４０，４０Ａ，４０Ｂ，４０Ｓ…書込みヘッド、
４１…ヨーク、
４２…外側垂直磁極片、
４３，４３Ｔ…主磁極片、
４４，４４Ｓ…リターン磁極片、
４５…内側垂直磁極片、
４６…コイル、
４７…リターンスタンドオフ、
４８…主要スタンドオフ。
【図１】
2005317188.tif 000003
【図２（ａ）】
2005317188.tif 000004
【図２（ｂ）】
2005317188.tif 000005
【図３（ａ）】
2005317188.tif 000006
【図３（ｂ）】
2005317188.tif 000007
【図３（ｃ）】
2005317188.tif 000008
【図４（ａ）】
2005317188.tif 000009
【図４（ｂ）】
2005317188.tif 000010
【図４（ｃ）】
2005317188.tif 000011
【図５】
2005317188.tif 000012
【図６】
2005317188.tif 000013
【図７】
2005317188.tif 000014
【図８】
2005317188.tif 000015